(57)【要約】付加的ＤＣ成分を認識し、そしてこのＤＣ成分の推定値を表す出力信号を発生する第一工程を備えた入力バースト信号を処理する方法。この方法はさらに入力バースト信号に含まれる複数の可能性のある信号部分から所定信号部分を検出し、そして入力バースト信号内の所定信号部分の存在を示す制御信号を発生する第二工程を備える。この方法は第一工程と第二工程とが並列に即ちバーストの開始時間から共通の規定された時間間隔で行われることを特徴としている。
2005516514.tif 000002
【特許請求の範囲】
【請求項１】
入力バースト信号を処理する方法であって、
付加的ＤＣ成分を認識し、そして前記ＤＣ成分の推定値を表す出力信号を発生する第一工程と、
前記入力バースト信号に含まれる複数の可能性のある信号部分から所定信号部分を検出し、そして前記入力バースト信号内の前記所定信号部分の存在を示す制御信号を発生する第二工程とを備え、
前記第一工程と前記第二工程とが並列に即ち前記バーストの開始時間から共通の規定された時間間隔で行われることを特徴とした処理方法。
【請求項２】
前記第二工程は、
前記入力バースト信号を微分し、そして微分信号を発生する第三工程と、
前記入力バースト信号に含まれる前記可能性のある信号部分の導関数を表す他の複数の信号部分の予め定まった一つとして前記微分信号を認識する第四工程とを備えた請求項１に記載の方法。
【請求項３】
前記入力バースト信号は実成分と虚成分即ち前記実成分に対してほぼ９０度位相がずれている虚成分とを備える合成信号である請求項１に記載の前記入力バースト信号に適用される方法。
【請求項４】
入力バースト信号を処理する回路であって、
前記入力バースト信号内に存在する付加的ＤＣ成分を推定し、そして該推定を表す出力信号を発生する第一モジュールと、
前記回路はさらに、前記入力バースト信号に含まれる複数の可能性のある信号部分から所定信号部分を認識し、そして前記複数の可能性のある信号部分からの前記所定信号部分の存在を示す制御信号を発生する第二モジュールとを備え、
前記第一モジュールと前記第二モジュールとは同じ時間間隔で即ち前記バーストの開始時間から共通の規定された時間間隔で動作することを特徴とした回路。
【請求項５】
前記第二モジュールは前記入力バースト信号を微分し、そして微分信号を発生する微分器を備え、該微分器は信号認識回路と結合され、該信号認識回路は前記入力バースト信号に含まれる前記複数の可能性のある信号部分の導関数を表す他の複数の信号部分の予め定まった一つとして前記微分信号を認識するよう動作する請求項４に記載の回路。
【請求項６】
前記制御信号はバイナリ信号である請求項５に記載の回路。
【請求項７】
前記制御信号は前記第一モジュールに結合されたスイッチを制御し、前記入力バースト信号に含まれる前記複数の可能性のある信号部分からの前記信号部分が検出されると、前記スイッチは前記入力バースト信号内に存在する前記付加的ＤＣ成分の前記推定を表す前記出力信号を発生する請求項６に記載の回路。
【請求項８】
前記入力バースト信号内に存在する前記付加的ＤＣ成分の前記推定を表す前記出力信号が前記入力バースト信号に含まれる前記複数の可能性のある信号部分からの前記信号部分の検出において生じうる誤差を除去する変形信号認識回路に入力される請求項４に記載の回路。
【請求項９】
前記信号認識回路は前記入力バースト信号を直列シンボルストリームから第一の並列シンボルストリームに変換する第一の直列並列変換器を備え、該直列並列変換器は第一の乗算器に結合され、該第一の乗算器は前記第一の並列シンボルストリームに前記入力バースト信号に含まれる信号部分の微分信号を乗じ、そして第一の乗算結果信号を発生し、該第一の乗算結果信号は前記乗算器に結合されているモジュラス回路に入力され、該モジュラス回路は前記第一の乗算結果信号のモジュラスを判定し、そして第一のモジュラス信号を発生し、該第一のモジュラス信号は前記モジュラス回路に結合されている閾値検出器に入力され、該閾値検出器は前記第一のモジュラス信号と前記入力バースト信号の信号部分の検出を示す閾値信号とを比較し、前記閾値検出器は入力信号部分が検出されたときはいつでも前記制御信号を発生する請求項５に記載の回路。
【請求項１０】
前記ＤＣ推定回路は直列シンボルストリームを備える前記入力バースト信号を第二の並列シンボルストリームに変換する第二の直列並列変換器を備え、該直列並列変換器は第二の乗算器に結合され、該第二の乗算器は前記第二の並列シンボルストリームに複数シンボルの所定組を乗じ、前記第二の乗算器は第二の乗算結果信号を発生し、該第二の乗算結果信号は前記第二の乗算器に結合されている第一の並列加算回路に入力され、該加算回路は前記第二の乗算結果信号に含まれる前記複数の成分を互いに加え、前記第一の加算回路は第一の加算信号を発生し、該第一の加算信号は前記第一の加算回路に結合されている増幅器に入力され、該増幅器は前記複数シンボルの所定組に依存する増幅度により前記第一の加算信号を増幅し、前記増幅器は推定信号を発生する請求項４に記載の回路。
【請求項１１】
前記変形認識回路は直列シンボルストリームを備える前記入力バースト信号を第一の並列シンボルストリームに変換する第一の直列並列変換器を備え、該第一の直列並列変換器は減算器に結合され、該減算器は前記第一の並列シンボルストリームから前記入力信号バーストの前記推定追加成分を減算し、そして差信号を発生し、該差信号は前記減算器に結合されている第一の乗算器に入力され、該第一の乗算器は前記差信号に前記入力バースト信号に含まれる複数シンボルの所定組を乗じ、そして第一の乗算結果信号を発生、該第一の乗算結果信号は前記第一の乗算器に結合されているモジュラス回路に入力され、該第一のモジュラス回路は前記第一の乗算結果信号のモジュラスを判定し、そして第一のモジュラス信号を発生し、該第一のモジュラス信号は前記モジュラス回路に結合されている閾値検出器に入力され、該閾値検出器は前記第一のモジュラス信号と前記入力バースト信号の前記信号部分の検出を示す閾値信号とを比較し、前記閾値検出器は入力信号部分が検出されたときはいつでも前記制御信号を発生する請求項８に記載の回路。
【請求項１２】
実成分と虚成分即ち前記実成分に対してほぼ９０度位相がずれている虚成分とを備える合成信号である入力バースト信号に適用される請求項４に記載の回路。
【請求項１３】
前記推定を表す前記出力信号が差回路にフィードバックされ、該差回路は前記推定がほぼゼロであることを表す前記出力信号を有する入力バースト信号を発生するために中間周波数信号と寄生付加成分とを比較する請求項４又は５に記載の回路を備えた第一の通信システム。
【請求項１４】
前記推定を表す前記出力信号が周期信号を発生する局部発信器を制御し、前記周期信号は前記局部発信器に結合されている混合器３に入力され、該混合器は中間周波数信号を得るために入力無線周波数バースト信号と前記局部発信器の前記周期信号とを混合し、前記中間周波数信号は前記混合器に結合されている検出器に入力され、該検出器は前記入力バースト信号を発生し、該入力バースト信号は前記推定がほぼゼロであることを表す出力信号を有する請求項４又は５に記載の回路を備えた第二の通信システム。
【請求項１５】
前記電圧制御発信器は直交発信器である請求項１４に記載の回路を備えた第二の通信システム。
【請求項１６】
Ｂｌｕｅｔｏｏｔｈ受信システムに含まれている請求項１３、１４に記載の通信システム。
【発明の詳細な説明】
【技術分野】
【０００１】
この発明は、請求項１の前置きに記載されている入力バースト信号に含まれる付加的ＤＣ成分を検出する方法に関する。
【背景技術】
【０００２】
この文書で述べられる付加的ＤＣ成分は時間変化する信号ｓ（ｔ）に加えられる一定値又は比較的ゆっくり変化する電気信号と考えられる。実際のシステムにおいての典型的な付加的ＤＣ成分は時間変化信号に加えられるオフセット電圧又は電流である。多くの実際の状況では、このＤＣ成分はそれらが現れるシステムの挙動に大きなダメージを与えることない。
【発明の開示】
【発明が解決しようとする課題】
【０００３】
ところが、ＤＣ信号によりシステムに比較的大きなエラーが生じうることがある。これは、例えば、デジタルデータ周波数変調とさらに精度の高いＧＫＳＫ変調を用いるＢｌｕｅｔｏｏｔｈとＤＥＣＴシステムである。Ｂｌｕｅｔｏｏｔｈ信号の最初の部分におけるプリアンブルはバースト信号の送信開始を示す予め定められたシンボル列により表される。バースト信号は、ランダムに、即ち、ユーザがＢｌｕｅｔｏｏｔｈサービスを要求したその時に現れる。Ｂｌｕｅｔｏｏｔｈ受信機では、受信されたバースト信号が復調され、そしてスライサの処理を受ける。スライサは、基本的に、例えば、復調された信号の振幅が基準値より高いか又は低いかを示す比較器等の決定回路である。ＤＣオフセット信号が復調された信号中に存在するとスライサはその出力に正しい情報を出さない、即ち、＋１と−１との予め定まったシンボル列が他のシンボル列に置き換えられるというようなスライサの決定に影響があり得る。これは、特に、送信されるバースト信号のプリアンブルがＢｌｕｅｔｏｏｔｈ又はＤＥＣＴシステムのサービスの要求を示している場合に問題とされる。もしバーストのプリアンブルが正しく認識されないと要求も認識されず、繰り返さねばならない。従って、バースト信号のＤＣ成分を判定する必要がある。入力信号と局部発信器から発生された信号の周波数との間の周波数誤差の直接の結果としてＤＣ成分が現れることが強調されるべきである。そこで、判定されたＤＣ成分は、ＤＣオフセット成分が出来るだけ低くなるように、局部発信器を制御するためのフィードバック信号として用いられる。
【０００４】
米国特許６１０４２３８にはＤＣオフセット判定器を用いるＦＭ復調器が開示されている。ＤＣオフセット判定器は検出器とスライサとの間に結合されている。ＤＣオフセット判定器は、検出器から受信された信号のＤＣオフセットの判定結果をスライサと局部発信器とに与える。スライサはＤＣオフセットの判定結果を閾値電圧として用いる。送信機は入力信号のプリアンブルとしてＤＣ成分を含まない信号を送信すると仮定している。さらに、ＤＣ判定器は、ローパスフィルタ、即ち、サンプル・ホールド回路と、復調タイミングに合うようにサンプル値を維持する同期回路との組み合わせである積分器を備えていることが示されている。送信された信号はＤＣ成分を含まない信号であっても復調処理のためにＤＣ成分が現れることがあり得ることが指摘されるべきである。さらに、バーストモードにおいて、予め定まったビット列が認識されなければならない。上述の特許により提供される解決策は、スライサにより信号入力において補足的に遅延がなされた後にのみ、予め定まったビット列が認識されうるということである。
【０００５】
従って、この発明は、比較的短時間、即ち、比較的高速にＤＣ成分を検出する方法を提供することである。
【課題を解決するための手段】
【０００６】
この発明によれば、これは、請求項１の前置きに記載の方法で、第一工程と第二工程とが並列に即ちバーストの開始時間から共通の規定された時間間隔で行われることを特徴とした方法により達成される。
【０００７】
バーストモードでは、受信機が、受信開始と同時で、プリアンブルと呼ばれる、バーストの開始を認識しなければならない。これは、ＢｌｕｅｔｏｏｔｈやＤＥＣＴ標準におけるような予め定まったビット列を用いて実現される。バーストに含まれる、付加的な成分である、ＤＣ成分が最初に推定されなければならず、そしてその後、予め定まった列が認識される。これは、予め定まった列の検出のためにさらなる遅延が必要になるという結果となる。この発明の方法では、ＤＣ推定と予め定まった列の検出が並列に、即ち、与えられた時間からほぼ等しい時間枠内で行われるというように、予め定まった列の認識に必要な時間が事実上短縮される。
【０００８】
ある実施形態ではバースト検出が第三工程と第四工程とで実現される。第三工程では最初に信号が微分される。微分するといかなるＤＣ成分をも消失するという重要な結果となる。微分により予め定まった列が他の予め定まった列に変換される。そこで、この他の予め定まった列が信頼性高く検出される。入力バースト信号に続くバースト信号の予め定まった部分をバーストが備えているので、その予め定まった部分を微分すると、その信号の正しく定まった部分が得られる。この信号の正しく定まった部分が他の予め定まった信号部分と比較され、もし互いにほぼ等しければ、入力バースト信号が予め定まった信号部分を備えていることを示す信号が発生される。
【０００９】
この発明の他の実施形態では、入力バースト信号の付加的ＤＣ成分を検出する回路が、付加的ＤＣ成分を推定し、そして入力バースト信号のＤＣオフセット推定を示す信号を発生する第一モジュールを備える。この回路はさらに、入力バースト信号に含まれる複数の可能性のある信号部分から所定信号部分を検出する第二モジュールを備える。第二モジュールはそれら複数の可能性のある信号部分からの上記所定信号部分の存在を示す制御信号を発生する。第一モジュールと第二モジュールとは同じ時間間隔で、即ち、この回路内の入力バースト信号の入力時点からの経過時間と第一モジュール、第二モジュール各々からの信号発生とがほぼ等しいように動作する。
【００１０】
この発明の他の実施形態では、上記回路の第二モジュールは入力バースト信号を微分し、そして微分信号を得る第三モジュールを備える。第三モジュールは信号認識回路と結合される。信号認識回路は入力バースト信号に含まれる複数の可能性のある信号部分の導関数を表す他の複数の信号部分の予め定まった一つとして微分信号を認識するよう動作する。
【００１１】
この発明のある実施形態では上記制御信号はバイナリ信号である。さらに、この制御信号は上第一モジュールに結合されたスイッチを制御し、入力バースト信号に含まれる複数の可能性のある信号部分から上記信号部分が検出されると、スイッチは付加的ＤＣ成分を発生する。ＤＣ推定はこの回路内の入力バースト信号について連続して行われることが指摘されるべきである。第二モジュール内でこの信号の予め定められた部分が検出された時のみ、第一モジュールにより発生された信号がさらに回路内で用いられる。
【００１２】
この発明の他の実施形態では、推定されたＤＣ成分が入力バースト信号に含まれる複数の可能性のある信号部分からの上記信号部分の検出において生じうる誤差を除去するバースト信号検出回路に入力される。ＤＣ推定信号を介したこの第一モジュールと第二モジュールとの結合とにより第二モジュール内において微分回路が不要となる。これにより、この回路外で用いられるＤＣ推定信号を発生するのに必要な時間が比較的長くなるという犠牲を伴うが、第二モジュールのコストが削減される簡単な設計が可能となる。
【００１３】
入力バースト信号はアナログ的又はデジタルにいずれでも良いことが強調されるべきである。もしこの信号がアナログ的であれば、これの予め定まった部分は、例えば、電圧又は電流等の電気信号、又は、輝度等の光の形態でもよい。この信号は位相、周波数そして振幅変調されたものでもよい。
【００１４】
デジタル信号の場合には信号成分は特定ビット列に関わる。この場合、この発明のある実施形態では、信号認識回路は入力バースト信号を直列シンボルストリームから第一の並列シンボルストリームに変換する第一の直列並列変換器を備え、この直列並列変換器は第一の乗算器に結合されている。第一の乗算器は第一の並列シンボルストリームに入力バースト信号に含まれる信号成分の微分信号を乗じ、そして第一の乗算結果信号を発生する。第一の乗算結果信号は乗算器に結合されているモジュラス回路に入力される。モジュラス回路は第一の乗算結果信号のモジュラスを判定し、そして第一のモジュラス信号を発生し、第一のモジュラス信号はモジュラス回路に結合されている閾値検出器に入力される。閾値検出器は第一のモジュラス信号と入力バースト信号の信号部分の検出を示す閾値信号とを比較し、閾値検出器は入力信号部分が検出されたときはいつでも制御信号を発生する。ＤＣ推定回路は入力バースト信号を直列シンボルストリームから第二の並列シンボルストリーム変換する第二の直列並列変換器を備える。この第二の直列並列変換器は第二の乗算器に結合されている。第二の乗算器は第二の並列シンボルストリームに複数シンボルの所定組を乗じる。第二の乗算器は第二の乗算結果信号を発生し、これが第二の乗算器に結合されている第一の加算回路に入力され、第一の加算回路は第二の乗算結果信号に含まれる複数の成分を互いに加える。第一の加算回路は第一の加算信号を発生し、この第一の加算信号は第一の加算回路に結合されている増幅器に入力される。増幅器は複数シンボルの所定組に依存する増幅度により第一の加算信号を増幅し、増幅器は推定信号を発生する。
【００１５】
入力バースト信号が関係式（１）に示される形態であるとする。
【数１】
2005516514.tif 000003
【００１６】
ここで、ｓｉはシンボルで、g（ｔ − ｉＴ）は周期Ｔを有する周期サンプリング関数で、ＤＣは付加的ＤＣ成分、即ち、それは比較的時間において一定である。このＤＣ成分の推定は関係式（２）において与えられる。
【数２】
2005516514.tif 000004
【００１７】
ここで、Ｎは入力バースト信号内のシンボルの合計数で、シンボルａｉが関係式（３）を満足する。
【数３】
2005516514.tif 000005
【００１８】
実際、簡単に導入できるようにｃは２のベキとして選ばれることに注意されたい。さらに、入力バースト信号の部分を検出器が認識したときに等式（４）が満足するように複数シンボルａｉが選ばれる。
【数４】
2005516514.tif 000006
【００１９】
増幅器の増幅度は
【数５】
2005516514.tif 000007
となるように選ばれ、定数ｃが関係式（３）により決められる。
【００２０】
この発明のある実施形態では、入力バースト信号を直列シンボルストリームから第一の並列シンボルストリームに変換する変形認識回路を備え、第一の直列並列変換器は減算器に結合されている。この減算器は第一の並列シンボルストリームから入力信号バーストの推定追加成分を減算し、そして差信号を発生し、この差信号は上記減算器に結合されている第一の乗算器に入力される。第一の乗算器は上記差信号に上記入力バースト信号内の信号部分の微分信号を乗じ、そして第一の乗算結果信号を発生する。第一の乗算結果信号は第一の乗算器に結合されているモジュラス回路に入力される。第一のモジュラス回路は第一の乗算結果信号のモジュラスを判定し、そして第一のモジュラス信号を発生する。第一のモジュラス信号は上記モジュラス回路に結合されている閾値検出器に入力され、閾値検出器は第一のモジュラス信号と上記入力バースト信号の上記信号部分の検出を示す閾値信号とを比較する。閾値検出器は入力信号部分が検出されたときはいつでも上記制御信号を発生する。
【００２１】
この発明の他の実施形態では、上位方法と回路とが、実成分と虚成分即ち前記実成分に対してほぼ９０度位相がずれている虚成分とを備える合成信号の形態の入力バースト信号用に変更される。一般的には直交信号として認識されているこの信号は現代の通信システムに広く使われており、これは、直交構造がさらなる信号制御を促進し、そして直交検出器と混合器とが比較的簡単で信頼性ある装置だからである。さらには、信号の直交構造がデジタル信号処理（ＤＳＰ）技術が復調信号に適用されるのを促進して受信信号の品質を向上させる。この場合、モジュラス回路に結合された第一乗算器と第一加算機に結合された第二乗算器とはＦＩＲデジタルフィルタである。
【００２２】
この発明のある実施形態では、この回路は通信システムに用いられる。この通信システムでは、付加的寄生成分が差回路にフィードバックされ、差回路が中間周波数信号と付加的寄生成分との間の差をとる。減算の結果は付加的寄生成分がほぼゼロであるバースト信号となる。入力バースト信号はスライサ、即ち、差動入力比較器にも入力される。
【００２３】
この発明のある実施形態では、この回路は第二の通信システムに用いられる。第二の通信システムでは付加的寄生成分が局部発信器を制御し、局部発信器が周期信号を発生し、周期信号は混合器に入力される。混合器は局部発信器に結合され、中間周波数信号を得るために無線周波数入力バースト信号と局部発信器からもたらされる周期信号とを混合する。中間周波数信号は混合器に結合されている検出器に入力され、検出器は入力バースト信号を発生し、この入力バースト信号の付加的寄生成分はほぼゼロである。発信器により発生した周期信号の周波数誤差のため、この信号のＤＣオフセットは主に混合器内で発生される。ＤＣオフセット信号が実質的に低減するように、推定されたＤＣオフセットが発信器の発振を制御する。ほとんどの場合、制御信号は電圧である。
【００２４】
この発明の他の実施形態では、この回路はＢｌｕｅｔｏｏｔｈ受信機で用いられる。Ｂｌｕｅｔｏｏｔｈシステムでは、上記の信号は送信の開始を示すプリアンブルを有する。この回路がプリアンブルを認識し、そしてバースト信号の時間枠内でＤＣ推定信号が発生される。ＤＣ推定信号は、ＤＣ推定のさらなる精度向上のために、電圧制御発信器と差回路との両者に入力されることに注意されたい。
【発明を実施するための最良の形態】
【００２５】
上記のそしてさらなる他の、この発明の特徴並びに効果が添付図面を参照して以下に説明し例として取り上げる各実施形態により明らかになる。
【００２６】
図１はこの発明の入力バースト信号ｓ（ｔ）に含まれる付加的ＤＣ成分を検出するための方法のオーガニグラムと回路のモジュール・ダイアグラムとを示す。この方法は入力バースト信号ｓ（ｔ）に含まれる付加的ＤＣ成分を検出するための第一工程１０を備える。この第一工程において、信号Ｄｃｅｓｔが発生され、この信号が信号ｓ（ｔ）に含まれる付加的ＤＣ成分の推定結果となる。この信号の付加的ＤＣ成分はほぼ一定な信号で、即ち、時間によって変化しない。この方法はさらに入力バースト信号検出のための第二工程２０を備え、この検出は、信号ｓ（ｔ）に含まれる付加的ＤＣ成分の推定と同じ期間に行われる。ＢｌｕｅｔｏｏｔｈやＤＥＣＴシステムにおいては、入力バースト信号が、予め定まったシンボル列を備えるプリアンブルを含む。Ｂｌｕｅｔｏｏｔｈシステムではプリアンブルは５シンボルを備え、ＤＥＣＴシステムではプリアンブルは１６シンボルを備える。プリアンブルが検出されると、それは入力バースト信号のｓ（ｔ）の始まりを意味し、ＤＣ成分Ｄｃｅｓｔの判定結果がシステムにより用いられなければならない。入力バースト信号が検出されると、制御信号ＢＤが発生され、この制御信号ＢＤが、信号Ｄｃｅｓｔがスイッチ３０を介して検出システムから放出されるかにつき決定し、このスイッチは制御信号ＢＤにより制御される。バースト期間中に用いられるために信号Ｄｃｅｓｔが記憶されることに注意されたい。この記憶装置は、例えば、アナログ電圧を記憶するためのキャパシタ又はＤＣ推定に関するデジタル情報を記憶するためのバイナリメモリでもよい。従って、スイッチは、例えばアナログスイッチ等のアナログ形態又はデジタル形態でもよい。
【００２７】
図２はこの発明の入力バースト信号検出方法のオーガニグラムとモジュール・ダイアグラムとの詳細なダイアグラムを示す。第二工程２０は入力バースト信号ｓ（ｔ）を微分しそして微分信号Ｓｄ（ｔ）を発生するための第三工程２１を備える。この第三工程は、例えば、第三の回路２１に導入される。第二工程２０はさらに微分信号Ｓｄ（ｔ）を他の複数の信号部分の一つであると認識するための第四工程２２を備え、これら他の複数の信号部分は複数の可能性のある信号部分を微分して得られるものである。第四工程２２によれば第四モジュール２２があり、この第四モジュール２２は、微分信号Ｓｄ（ｔ）を微分信号Ｓｄ（ｔ）に含まれる所定の信号部分の一つとして認識することができるように動作する。付加的ＤＣ成分を備えるいかなる時間に依存する関数をも時間について微分するとＤＣ成分を含まない信号が得られる。従って、いかなる信号部分をもそれらの微分された信号に変換される。例えば、信号部分がバイナリで、Ｂｌｕｅｔｏｏｔｈ列であるシンボル列[０、＋１，−１，＋１，−１，＋１]を備えると、微分信号Ｓｄ（ｔ）はこの信号部分とは異なる列[−１，＋１，−１，＋１，−１]を備える。
【００２８】
図３はこの発明の入力バースト信号に含まれる付加的ＤＣ成分を検出するための回路の変形例を示す。入力バースト信号ｓ（ｔ）に含まれる付加的ＤＣ成分を検出するための回路１が以下のように変形できることが、設計プロセスの簡素化、コスト又は他の技術的及び/又は経済的観点から有用である。ＤＣ推定信号Ｄｃｅｓｔが、入力バースト信号に含まれる複数の可能性のある信号部分からの信号部分の検出において現れうる誤差を除去する変形認識回路２２‘に入力される。変形認識回路２２‘は微分器が不要となり、バースト入力信号ｓ（ｔ）のさらなる遅延を避けることができるが、同時に、この発明の他の実施形態の結果としてハードウエアが比較的さらに複雑になる。
【００２９】
図４は図１、２に示されるこの発明の実施形態の入力バースト信号に含まれる付加的ＤＣ成分を検出するための回路のさらなる詳細を示す。
【００３０】
入力バースト信号はアナログ的又はデジタルのいずれでも良いことが重視されるべきである。もしこの信号がアナログ的であれば、これの所定部分は、例えば、電圧又は電流等の電気信号、又は、輝度等の光の形態でもよい。この信号は位相、周波数そして振幅変調されたものでもよい。デジタル信号の場合には信号部分は特定ビット列に関わる。この場合、信号認識回路２２は微分入力バースト信号ＳＤ（ｔ）を直列シンボルストリームから第一の並列シンボルストリームＳ１（ｔ）に変換する第一の直列並列変換器２２１を備え、この直列並列変換器２２１は第一の乗算器２２２に結合されている。第一の乗算器２２２は第一の並列シンボルストリームＳ１（ｔ）に入力バースト信号ＳＤ（ｔ）に含まれる信号部分の微分信号を乗じ、そして第一の乗算結果信号Ｐ１（ｔ）を発生する。第一の乗算結果信号Ｐ１（ｔ）は乗算器に結合されているモジュラス（ｍｏｄｕｌｕｓ）回路２２３に入力される。モジュラス回路は第一の乗算結果信号Ｐ１（ｔ）のモジュラスを判定し、そして第一のモジュラス信号Ｍ（ｔ）を発生し、第一のモジュラス信号Ｍ（ｔ）はモジュラス回路に結合されている閾値検出器２２４に入力される。閾値検出器２２４は第一のモジュラス信号Ｍ（ｔ）と、入力バースト信号Ｓ（ｔ）の信号部分の検出を示す閾値信号とを比較し、入力信号部分が検出されたときはいつでも制御信号ＢＤを発生する。
【００３１】
ＤＣ推定回路１０は直列シンボルストリームを備える微分入力バースト信号ＳＤ（ｔ）を第二の並列シンボルストリームＳ２（ｔ）に変換する第二の直列並列変換器１０１を備える。この第二の直列並列変換器１０１は第二の乗算器１０２に結合されている。第二の乗算器１０２は第二の並列シンボルストリームＰ２（ｔ）に複数シンボルａ（ｔ）の所定組を乗じる。第二の乗算器１０２は第二の乗算結果信号Ｐ２（ｔ）を発生し、これが第二の乗算器１０２に結合されている第一の加算回路１０３に入力され、第一の加算回路１０３は第二の乗算結果信号に含まれる複数の成分を互いに加える。第一の加算器１０３は第一の加算信号Ａ１（ｔ）を発生し、この第一の加算信号Ａ１（ｔ）は第一の加算器１０３に結合されている増幅器１０４に入力される。増幅器１０４は関係式（３）と（５）により決まる複数シンボルａ（ｔ）の所定組に依存する増幅度により第一の加算信号Ａ１（ｔ）を増幅し、推定信号Ｄｃｅｓｔを発生する。もし入力バースト信号がアナログ的であれば回路１の内部構造が多少変更され、即ち、第一、第二の直列並列変換器が不要になることに注意されたい。さらに、回路１に含まれるその他の回路はすべてアナログである。閾値検出器２２４は、例えば、第一のモジュラス信号が閾値レベルより大きい場合は論理１を発生し、そうでなければ論理０を発生するバイナリ信号を出す出力を有する差動比較器でもよい。さらに、モジュラス回路２２３は信号検出に用いられる信号部分の数を２倍にすることに注意されたい。例えば、検出に用いられる信号部分が５ビットで符号化されたら合計３２の異なる信号部分が得られる。信号部分Ｓｐとその逆のｎｏｎ（Ｓｐ）は同じモジュラスを有するので計数回路が信号部分の合計数を１６に減らす。入力信号部分のより大きい部分を用いるときは、複数の入力信号部分を検出する必要があれば、複数の乗算器と閾値検出器とのバンクを用いることができる。
【００３２】
図５はこの発明の信号検出回路の変形例のさらなる詳細を示す。変形認識回路は入力バースト信号ｓ（ｔ）を直列シンボルストリームから第一の並列シンボルストリームＳ１（ｔ）に変換する第一の直列並列変換器２２１を備え、この第一の直列並列変換器２２１は減算器２２５に結合されている。減算器２２５は第一の並列シンボルストリームＳ１（ｔ）から入力信号バーストＤｃｅｓｔの推定追加成分を減算し、そして差信号Ａ２（ｔ）を発生し、差信号Ａ２（ｔ）は減算器２２５に結合されている第一の乗算器２２２に入力される。第一の乗算器２２２は差信号Ａ２（ｔ）にバースト信号ＳＤ（ｔ）に含まれる信号部分の微分信号を乗じ、そして第一の乗算結果信号Ｐ１（ｔ）を発生する。第一の乗算結果信号Ｐ１（ｔ）は第一の乗算器２２２に結合されている第一のモジュラス回路２２３に入力される。第一のモジュラス回路２２３は第一の乗算結果信号Ｐ１（ｔ）のモジュラスを判定し、そして第一のモジュラス信号Ｍ（ｔ）を発生する。第一のモジュラス信号Ｍ（ｔ）はモジュラス回路２２３に結合されている閾値検出器２２４に入力され、閾値検出器２２４は第一のモジュラス信号Ｍ（ｔ）と、入力バースト信号Ｓ（ｔ）の信号部分の検出を示す閾値信号とを比較する。閾値検出器は入力信号部分が検出されたときはいつでも制御信号ＢＤを発生する。上述の回路は、特に、比較的低レベルのＤＣ付加成分を有する入力信号により動作する受信機に導入されるのに適している。この場合、入力バースト信号に含まれる信号部分がほとんど誤差無しに検出されるような十分に精度の高いＤｃｅｓｔ信号をＤＣ推定のための回路１０が出力する。
【００３３】
図６はこの発明の入力バースト信号に含まれる付加的ＤＣ成分を検出するための回路を備える第一の通信システムを示す。第一の通信システムは付加的寄生成分Ｄｃｅｓｔが差回路２にフィードバックされる回路１を備え、この差回路２は、付加的寄生成分がほぼゼロである入力バースト信号ｓ（ｔ）を出力するために中間周波数信号ＳＩＦ（ｔ）と付加的寄生成分Ｄｃｅｓｔとの差をとる。これは、入力バースト信号中のＤＣ成分を低減する比較的簡単な方法である。入力信号ＳＩＦ（ｔ）の補正が可能な限り速く行われ、この方法は、低コストで、比較的高速の入力信号ストリームに適している。
【００３４】
図７はこの発明の入力バースト信号に含まれる付加的ＤＣ成分を検出するための回路を備える第二の通信システムを示す。第二の通信システムは付加的寄生成分Ｄｃｅｓｔが周期信号を発生する局部発信器４を制御する回路１を備え、周期信号は局部発信器４に結合されている混合器３に入力される。混合器３は中間周波数信号ＳＩＦ（ｔ）を得るために入力無線周波数バースト信号ＳＲＦ（ｔ）と局部発信器４の周期信号とを混合する。中間周波数信号ＳＩＦ（ｔ）は混合器３に結合されている検出器６に入力され、検出器６は入力バースト信号ｓ（ｔ）を発生し、この入力バースト信号ｓ（ｔ）の付加的寄生成分はほぼゼロである。この方法は、入力バースト信号のＤＣ付加的成分の推定をさらに精度高く行えるが、電圧制御発信器４を制御するための時間と実質的に誤差無しに入力バースト信号を得る時間とが、検出器６があるために、前述の場合より長くなる。ある実施形態では検出器６は位相シフト検出器に結合されたＦＭ検出器で、位相シフトが入力バースト信号中のＤＣ成分の存在を示す。もし信号ＳＩＦ（ｔ）がアナログ的であれば検出器６はＦＭ検出器に結合されたハードリミッタを備える。もし入力信号ＳＩＦ（ｔ）がシンボルストリームであれば検出器６に含まれる位相シフト検出器はＣＯＲＤＩＣプロセサでもよい。ＣＯＲＤＩＣプロセサは所定のアルゴリズムを用いて精度高く正弦、余弦関数の計算のような数学的操作を行う。ＢｌｕｅｔｏｏｔｈやＤＥＣＴシステムでは電圧制御発信器４は互いに９０度位相がずれている第一の成分Ｉと第二の成分Ｑとを有する合成信号を発生する直交発信器である。電圧制御発信器はアナログ的に又はデジタル的に制御される。制御がアナログ的な場合は制御信号はアナログ的な電圧で、デジタル制御が適用される場合は制御信号は数値コードである。
【００３５】
図８はこの発明の入力バースト信号に含まれる付加的ＤＣ成分を検出するための回路を備える第三の通信システムを示す。この第三の通信システムは第一の通信システムと第二の通信システムとの組み合わせである。これはＤＣ成分検出と入力バースト信号からのＤＣ成分除去により良い方法を提供する。この方法は既に示した方法より費用がかかることに注目されたい。さらに、入力バースト信号中のＤＣ成分検出、補正には最も時間がかかる。しかし、ＴＤＭＡやＣＤＭＡのようなシステムにおいてはこれらは大きな問題ではない。さらには、ＣＤＭＡシステムにおいては検出すべき信号の部分は信号の中間部分であることに注意されたい。
【００３６】
上述の各実施形態はこの発明を限定するものではないことに注意されたい。請求範囲中の括弧中に置かれた参照番号はこの発明により保護すべき範囲を限定するものではない。文言“備える”は請求範囲に述べられた以外の部分を除外するものではない。ある要素の前に置かれる冠詞“ある”又は“一つの”はそのような要素が複数あることを除外するものではない。この発明を成す各手段は専用ハードウエアの形態又はプログラムされるプロセサの形態として導入されてもよい。この発明は各新規な特徴又は各特徴の組み合わせにおいて存在する。
【図面の簡単な説明】
【００３７】
【図１】この発明の入力バースト信号に含まれる付加的ＤＣ成分を検出するための方法のオーガニグラムと回路のモジュール・ダイアグラムとを示す図である。
【図２】この発明の入力バースト信号検出方法のオーガニグラムとモジュール・ダイアグラムとの詳細なダイアグラムを示す図である。
【図３】この発明の入力バースト信号に含まれる付加的ＤＣ成分を検出するための回路の変形例を示す図である。
【図４】この発明の入力バースト信号に含まれる付加的ＤＣ成分を検出するための回路のさらなる詳細を示す図である。
【図５】この発明の変形信号検出回路のさらなる詳細を示す図である。
【図６】この発明の入力バースト信号に含まれる付加的ＤＣ成分を検出するための回路を備える第一の通信システムを示す図である。
【図７】この発明の入力バースト信号に含まれる付加的ＤＣ成分を検出するための回路を備える第二の通信システムを示す図である。
【図８】この発明の入力バースト信号に含まれる付加的ＤＣ成分を検出するための回路を備える第三の通信システムを示す図である。
【図１】
2005516514.tif 000008
【図２】
2005516514.tif 000009
【図３】
2005516514.tif 000010
【図４】
2005516514.tif 000011
【図５】
2005516514.tif 000012
【図６】
2005516514.tif 000013
【図７】
2005516514.tif 000014
【図８】
2005516514.tif 000015
【国際調査報告】
2005516514.tif 000016
2005516514.tif 000017
2005516514.tif 000018